(57)【要約】【課題】棚類の軽量化に効果的で地震の際に陳列物の落下を防止し、木材及びプラスチック等の再利用を促進する棚板の提供を目的とする。【解決手段】棚類に使用する棚板であって、ベース部材と補強部材とを備え、ベース部材は、複数の貫通孔を有するとともに、樹脂材料又は樹脂と木材粉との混合材料を用いて成型したものであり、補強部材は、金属製からなり設定耐荷重に応じて必要な本数だけベース部材の貫通孔に挿入可能になっている。【選択図】  図１
2007082871.tif 000002
【特許請求の範囲】
【請求項１】
棚類に使用する棚板であって、
ベース部材と補強部材とを備え、
ベース部材は、複数の貫通孔を有するとともに、樹脂材料又は樹脂と木材粉との混合材料を用いて成形したものであり、
補強部材は、金属製からなり設定耐荷重に応じて必要な本数だけベース部材の貫通孔に挿入可能になっていることを特徴とする棚板。
【請求項２】
棚類に使用した際に手前側になる貫通孔の手前側の側壁を長手方向に沿って上側片と下側片とに分離してあり、且つこの貫通孔内に上下方向に付勢する弾性部材を配設してあることを特徴とする請求項１記載の棚板。
【請求項３】
請求項１又は請求項２記載の棚板を用いてあることを特徴とする棚類。
【発明の詳細な説明】
【技術分野】
【０００１】
本発明は、スチール書庫、書架、移動書庫、移動書架、アングル棚、物品棚、店舗用陳列棚等の各種棚類に使用する棚板に関し、間伐材及び廃材等の木材の再利用を可能にするとともにスチール製棚に組み込みやすい耐震性に優れた棚板に係る。
【背景技術】
【０００２】
書架、物品棚類としてスチール製のものが広く普及している。
スチール製の棚類は、金属板材を用いた順送プレス装置、溶接装置等による大量生産に向いているが重量が重くなりやすい問題を有している。
そこで、本願発明者は、棚類の軽量化を図るのに効果的で、間伐材及び廃材の再利用による循環型社会ニーズに応えることも可能な棚板を精意研究した。
【０００３】
また、安全社会に貢献できる耐震構造も検討した。
特開平８−２９９０８０号公報には、棚板の先端部からストッパーを上方又は下方に出没する地震対策用棚を開示するが、構造が複雑であるのみならず、ストッパーは地震の揺れを吸収できるものではないために棚板の上に載置した本や物品の振れを抑えることはできないものである。
【０００４】
【特許文献１】特開平８−２９９０８０号公報
【発明の開示】
【発明が解決しようとする課題】
【０００５】
本発明は上記背景技術の有する課題に鑑みて、棚類の軽量化に効果的で、必要な耐荷重の調整が容易であり、地震の際に載置物の落下を防止し、木材及びプラスチック等の再利用を促進する棚板の提供を目的とする。
【課題を解決するための手段】
【０００６】
請求項１に記載の発明の技術的要旨は、棚類に使用する棚板であって、ベース部材と補強部材とを備え、ベース部材は、複数の貫通孔を有するとともに、樹脂材料又は樹脂と木材粉との混合材料を用いて成形したものであり、補強部材は、金属製からなり設定耐荷重に応じて必要な本数だけベース部材の貫通孔に挿入可能になっていることを特徴とする。
ここで棚類とは棚板を横架して使用する書棚、物品棚等の各種収納棚をいう。
【０００７】
請求項２記載の発明の技術的要旨は、棚類に使用した際に手前側になる貫通孔の手前側の側壁を長手方向に沿って上側片と下側片とに分離してあり、且つこの貫通孔内に上下方向に付勢する弾性部材を配設してあることを特徴とする。
【０００８】
この弾性部材の付勢による免震機能により、地震の震動で棚板に載置した物品の振動を減衰させてその落下を防止する。
特に棚板の手前側が弾性部材で上下運動することで物品を棚の奥側に戻すように作用する。
【発明の効果】
【０００９】
本発明における棚板は樹脂材料を用いて押出成形等する際に間伐材や廃材の木材をチップ又は粉にして樹脂材料に混合できるので木材の再利用に貢献できる。
また、ベース部材に複数の貫通孔を設けたことにより、棚板をスチール製に比較して軽量化しつつ、必要な本数だけ補強部材を挿入することで耐荷重の調整ができる。
よって、幅広い強度の棚板を少ない種類の部品で安価に簡単に設定出来る。
【００１０】
棚板の手前側の貫通孔の手前側の側壁を上側片と下側片に分離し、載置面手前側を上方に付勢する弾性部材を配設したため、地震の際の棚板の振動で棚板手前側にずれてきた物品に加わる振動をこの載置面手前側では吸収して載置物の落下を防止出来る。
【発明を実施するための最良の形態】
【００１１】
本発明に係る棚板について、以下図面に基づいて説明する。
図１は、地震対策を施した棚板を用いた書棚の実施例を示す。
書棚１０は幅方向に一対の側板１１ａ、１１ｂを配設し、側板同士は背板１２、天板１３、底板１４で連結している。
書棚１０はわかりやすくするため棚板２０以外は簡略化して２点鎖線で描いてある。
両側板１１ａ、１１ｂはＬアングルからなる棚板受け１５を内側に対向して設けて、棚板２０はこの棚板受け１５に幅方向両側の端部２１を掛けて側板１１ａ、１１ｂ間に架設している。
棚板は、側板の代わりに左右に一対、配設したフレーム間に配設するものでも良く、書棚は棚類の例であり、書庫、移動書庫、移動書架、アングル棚、あるいは、物品棚、店舗用陳列棚等であってよい。
また書棚幅方向とは、書棚の載置面（正面）に向かった左右方向を意味し、書棚前後方向とは書棚の手前側（表側）を前側とし書棚の裏側を後ろ側とする奥行き方向を意味する。
【００１２】
棚板２０は板状で載置面３３を形成するベース部材３０を押出成形又は射出成型した樹脂製とし、ベース部材３０の長手方向に貫通する貫通孔３５ａ、３５ｂ、３５ｃを設けて軽量化を図っている。
また、樹脂には廃木材をチップ又は粉末にして混合してある。
ベース部材３０には、載置物の荷重による撓み変形を防止するため、貫通孔３５ｂにチャンネル鋼材からなり貫通孔と同じ長さの補強部材４０を嵌挿してある。
棚板２０は、両側の端部４１がベース部材を挟んで棚板受け１５上に載るように書棚１０に取り付けている。
棚板２０の斜視図を図２（イ）に示し、棚板２０の分解図を図２（ロ）に示す。
書棚１０を前後方向に切断した棚板２０付近の縦断面図を図３に示す。
棚板２０は、この実施例の場合にはベース部材３０の書棚幅方向側の両側面３０ｂに抜ける貫通孔３５ａ、３５ｂ、３５ｃを書棚前後方向に並べて設け、貫通孔３５ｂ、３５ｃを補強部材４０を嵌挿可能に形成し、前後方向の中央の貫通孔３５ｂに補強部材４０を嵌挿している。
ベース部材３０に形成する貫通孔数は１以上であれば良く、限定されない。
貫通孔３５ｂ、３５ｃは補強部材４０を挿し込んで嵌め合わせ出来るように、補強部材４０の外側面４０ａの形状に合わせて形成し、補強部材４０の外側面４０ａを貫通孔内壁面３６に密接させている。
このベース部材３０に嵌挿する補強部材４０は、図１のように書棚１０の左右の棚板受け１５上に左右の端部４１を載せ、ベース部材を幅方向に挿通した状態で側板間に掛け渡してベース部材３０の撓み変形を防止できれば例えばパイプ状や棒状等であっても良くその形状は限定されないが、耐荷重に優れているチャンネル鋼材や溝形鋼材等の形鋼材を用いてよい。
棚板２０はこのように補強部材を嵌挿するため、補強部分が底面等の外部に露出せず、外観意匠性に優れている。
又、この金属製の補強部材は貫通孔内に一体成形で取り付けたり、あるいは貫通孔内に接着剤等で固着しても良く嵌挿形態は限定されないが、貫通孔に抜き取り可能に嵌挿すると、棚の廃棄時には樹脂製のベース基板と金属製の補強部材とを分離してリサイクルしやすくなる。
【００１３】
棚板２０は、最も手前側の貫通孔３５ａの手前側の側壁を、ベース部材３０の書棚幅方向の両側面３０ｂ間に渡って図３に示すように分離部３２を形成し、それぞれ手前側に、上側片３２ａを有する載置面側部３１ａと、下側片３２ｂを有する底面側部３１ｂとに分離し、上側片３２ａと下側片３２ｂが重ね合うように上下する。
底面側部３１ｂはこの分離部３２の内壁を形成するように手前側端部を貫通孔３５ａ内方向に折曲げて下側片３２ｂとし、この底面側部３１ｂを折返した下側片３２ｂを覆うように載置面側部３１ａの手前側端部を折曲げて上側片３２ａとしてある。
貫通孔３５ａ内には、貫通孔長さに合わせた当て板５１で上下を挟んだ状態で複数のコイルバネのような弾性部材５０を貫通孔長手方向に均等に配設している。
このように棚板端部３１を貫通孔３５ａから手前側を上下に分岐させる分離部３２を設けることで、載置面側部３１ａを弾性変形しやすくしている。
貫通孔３５ａ内に配設した、弾性部材５０は載置面側部３１ａと底面側部３１ｂとを離間する方向に載置面側の貫通孔内壁面３６ａと底面側の貫通孔内壁面３６ｂをそれぞれ付勢している。
載置面３３の手前側の貫通孔３５ａ上方部位は、弾性部材５０で載置面側部３１ａがバネ付勢されることで免震機能を備えた免震面３３ａとなっている。
また、分離部３２は、上側片３２ａと下側片３２ｂが重ね合うように上下するようになっているので、外部からバネ等が見えず、外観意匠性に優れる。
地震の際には、地震の振動で載置面３３の上の物が書棚の載置面３３の奥側の位置からずれて移動し、場合によっては免震面３３ａ上の２点鎖線で示す位置にまで至る。
免震面３３ａ上に至った書籍６０は、弾性部材５０が地震の揺れを吸収して振動を抑えるため載置面３３上からの落下が防止される。
特に、弾性部材を棚板の手前側に設けたことにより、地震の揺れを吸収する際に書籍等の手前側が弾性部材の反復にて上下運動するため、書籍等を棚の奥側に押しやるように作用する。
この免震面３３ａは、図３では物品のほぼ半分を載せる広さに描いてあるが、この広さは棚板に必要とする耐震性に応じて適度に設定すれば良い。
【００１４】
図４（イ）に免震機能を設けず、耐荷重を変更可能にした棚板２０ａの実施例を示し、図４（ロ）にその分解図を示す。
棚板２０ａの強度は、複数設けている貫通孔３５ｄの内の、補強部材４０を嵌挿している貫通孔の数を変えることで、容易に変更出来る。
ベース部材３０ａは棚板に必要とされる強度に関わらず樹脂成形した同じものを用いることが出来、補強部材４０もやはり同じものを用いることが出来ることから多種の強度の棚板を少ない部品で安価に簡単に設定出来る。
【図面の簡単な説明】
【００１５】
【図１】本発明に係る棚板を用いた書棚の説明図を示す。
【図２】（イ）は棚板の斜視図を示し、（ロ）は分解図を示す。
【図３】棚板を前後方向に切断した縦断面図を示す。
【図４】免震機能を設けずに耐荷重を変更可能とした棚板の（イ）は斜視図を示し、（ロ）は分解図を示す。
【符号の説明】
【００１６】
１０    書棚
１１ａ、１１ｂ  側板
１２    背板
１３    天板
１４    底板
１５    棚板受け
２０、２０ａ  棚板
２１    棚板端部
３０、３０ａ  ベース部材
３０ｂ  ベース部材側面
３１    棚板の手前側端部
３１ａ  載置面側部
３１ｂ  底面側部
３２    側壁の分離部
３２ａ  上側片
３２ｂ  下側片
３３    棚板載置面
３３ａ  免震面
３４    棚板底面
３５ａ、３５ｂ、３５ｃ、３５ｄ  貫通孔
３６    貫通孔内壁面
３６ａ  載置面側の貫通孔内壁面
３６ｂ  底面側の貫通孔内壁面
４０    補強部材
４０ａ  補強部材外側面
４１    補強部材端部
５０    弾性部材（コイルバネ）
５１    当て板
６０    書籍（載置物）
【図１】
2007082871.tif 000003
【図２】
2007082871.tif 000004
【図３】
2007082871.tif 000005
【図４】
2007082871.tif 000006